(57)【要約】  本発明は、電気装置と電線との間のはんだ接合部の安定性を改善する方法を見つけることを目的としている。本発明による電気装置は、少なくとも１つのはんだ接合部を有するものであって、当該電気装置に、１つの端部がはんだ付けされた電線を備え、前記電線が、当該電気装置における支承面（Ｆ）で支承し、前記電線が、当該電気装置における、前記電線の前記支承面（Ｆ）の区域に少なくとも１つの湾曲部（Ｋ１）を有することを特徴としている。【選択図】  図２
2020527849.tif 000002
【特許請求の範囲】
【請求項１】
少なくとも１つのはんだ接合部を有する電気装置（Ｂ）であって、
当該電気装置に、１つの端部がはんだ付けされた電線を備え、
前記電線が、当該電気装置における支承面（Ｆ）で支承し、
前記電線が、当該電気装置における、前記電線の前記支承面（Ｆ）の区域に少なくとも１つの湾曲部（Ｋ１）を有する、電気装置（Ｂ）。
【請求項２】
前記電線が、平坦化部（Ｆ）の前記区域に、接触面（Ｅ）に向けられた別の湾曲部（Ｋ２）を有する、請求項１に記載の電気装置（Ｂ）。
【請求項３】
前記電線が、前記支承面（Ｆ）の前記区域に平坦化部を有する、請求項１又は２に記載の電気装置（Ｂ）。
【請求項４】
前記電線の前記支承面（Ｆ）が、平面図において丸められた端部（Ｄ）を有する、請求項１〜３のいずれか一項に記載の電気装置（Ｂ）。
【請求項５】
導電性金属で被覆された、前記はんだ接合部に対する少なくとも１つの接触面（Ｅ）を有する、請求項１〜４のいずれか一項に記載の電気装置（Ｂ）。
【請求項６】
前記電線の前記支承面（Ｆ）が、接触面（Ｅ）よりも短い、請求項１〜５のいずれか一項に記載の電気装置（Ｂ）。
【請求項７】
前記支承面（Ｆ）から見たときに、前記電線が、接触面（Ｅ）に対するギャップ（Ａ）を伴って湾曲部（Ｋ２）の後に続いて延びる、請求項１〜６のいずれか一項に記載の電気装置（Ｂ）。
【請求項８】
前記はんだ接合部がはんだを備え、前記はんだの大部分が、前記電線が接触面（Ｅ）に対するギャップ（Ａ）を伴って延びる前記区域に配置される、請求項１〜７のいずれか一項に記載の電気装置（Ｂ）。
【請求項９】
前記湾曲部（Ｋ１）が、前記平坦化部の前記端部で前記電線に配置され、その部分の前記電線が、円形の断面形状の区域（Ｒ）になる、請求項１〜８のいずれか一項に記載の電気装置（Ｂ）。
【請求項１０】
円形の断面形状の前記区域内（Ｒ）でのみ始まる、合成高分子材料の電線絶縁体（Ｊ）を備える、請求項１〜９のいずれか一項に記載の電気装置（Ｂ）。
【請求項１１】
ＮＴＣセラミックを含む、請求項１〜１０のいずれか一項に記載の電気装置（Ｂ）。
【請求項１２】
当該電気装置、前記はんだ点、及び前記電線を最後の湾曲部の後ろまで覆うポリマーのカバーを有する、請求項１〜１１のいずれか一項に記載の電気装置（Ｂ）。
【請求項１３】
前記第１の電線と形状が同一の第２の電線がはんだ付けされる第２の接触面を有する、請求項１〜１２のいずれか一項に記載の電気装置（Ｂ）。
【発明の詳細な説明】
【技術分野】
【０００１】
本発明は、はんだ接合部、及びそこに固定された電線を含む電気装置に関する。
【背景技術】
【０００２】
電気装置は特に、はんだ接合部によって電線が固定される少なくとも１つの接触面を有する。既知の装置において、この電線は、はんだ付けされる端部が平坦化されており、浸漬はんだ付け中の装置の保持が容易になる。しかしながら、この平坦化の結果、装置と電線との接触点に集まるはんだが少なくなる。これは、しばしばボイド又はキャビティの形成につながる。はんだの量が少ないことはボイドの形成と相まって、はんだ接合部の強度に悪影響を及ぼすおそれがある。
【発明の概要】
【発明が解決しようとする課題】
【０００３】
したがって、基本的な目的は、電気装置と電線との間のはんだ接合部の安定性を改善する方法を見つけることである。
【課題を解決するための手段】
【０００４】
この目的は、請求項１に記載の電気装置によって達成される。従属クレームは、好適な実施形態を示す。
【０００５】
少なくとも１つの接触面と、そこに配置されたはんだ接合部とを備えるとともに、そこに電線が固定される電気装置を提案する。電線は端部に支承部を有し、支承部によって装置上で支承され、かつ支承部の端部に少なくとも１つの湾曲部を有する。
【０００６】
この支承部は、電気装置の接触面よりも短くなるように選択される。湾曲部、したがって支承部の後には、電線が接触面に対して１０°〜９０°の角度αを形成している部分が続く。４５°〜９０°の角度範囲、又はより小さい６０°〜９０°の角度範囲が選択されることが好ましい。支承部及び湾曲部をより短くすることを意図した結果として、電線のはんだ付け中に、接触面に対するギャップを有する電線部分において、電線のはんだの濡れの向上が達成される。これによってはんだの量が大幅に多くなり、したがってはんだ接合部の安定性を向上させることにもつながる。
【０００７】
電線は、その固定される端部に平坦化部を有してもよく、その平坦化部は長方形であることによって、楕円形の電線断面と区別される。平坦化部は、電線が端部から離れて延びるにつれて、元の平坦化されていない断面になることによって区別される。このように電線を平坦化することによって、装置上で電線の支承面が大きくなり、円形の断面形状と比較して、はんだ付け工程中に装置の保持を向上させることが可能になる。しかしながら、このような平坦化の欠点は、はんだ付け中に、接触点と平坦化された電線との間で収集できるはんだの量が少なくなることである。このような区域では、はんだにキャビティ又はボイドの形成が見られる場合がたびたびある。接触点におけるはんだの量の少なさ、及びボイドの形成は、はんだ接合部の安定性に悪影響を及ぼすおそれがある。これについても、支承面の後に続く湾曲部によって補償される。
【０００８】
電線の平坦化された端部は、はんだが確実に均一に分布するように、水平断面図及び垂直断面図の両方において、そのすべての角部及び縁部が丸められるとよい。湾曲部、及び任意でさらに電線に沿って配置された第２の湾曲部、あるいはまったく別の湾曲部は、同様に丸められた形状を有し、かつ鋭く湾曲させなくてもよい。丸められた部分によって、電線の平坦化部が鋭い角部を有する場合よりも、はんだが接触点全体の周囲を良好に流れることが可能になる。
【０００９】
接触を良くするために、はんだ接合部が生成される電気装置の接触面は、銀その他の導電性金属で被覆されるとよい。このような被覆は、スクリーン印刷法を使用する装置に適用され得る。接触面を導電性金属で被覆することにより、特に前述した電線などの、はんだ付けした部品との電気接続を良好にすることが可能になる。
【００１０】
電線の平坦化部は、通常は任意の望ましい長さであり、電線の固定された端部から、又は支承面から、前述した湾曲部を越えて延びてもよい。湾曲部は、平坦化部の端部に配置されてもよい。
【００１１】
はんだ付けされた端部から見たときに、電線は、第１の湾曲部の後に続く別の湾曲部を有してもよい。別の湾曲部がやはり平坦化部の区域にあるか、それともその境界にあるかどうかについては、検討の余地が残され得る。電線の別の湾曲部は、電線の形状の大部分が直線であると想定される場合は、電線が延びるにつれて接触面と電線との間の角度が変化する。新しい角度は、０°〜８０°の範囲になる。角度範囲は０°〜４５°まで延びてもよく、あるいは好ましい事例では０°〜２０°まで延びてもよい。電線の別の湾曲部は、結果として電気装置の接触面と、はんだ付けされた電線との間の区域になっていてもよく、ここに電線が、接触面の上方に可変のギャップを伴って配置される。
【００１２】
はんだによる濡れが生じたとき、このようなギャップの存在が、はんだ接合部の安定性にとって好適なことがわかるであろう。接触面の上方で可変のギャップを伴って延びる電線の区域で、収集されるはんだの量が増加し得る。結果として増加したはんだの量は、はんだ接合部の安定性に良い影響を及ぼし得る。
【００１３】
はんだ点から離れる方向に、別の湾曲部の後に続いて電線が延びている場合、その電線には絶縁が施されてもよい。電線は、別の湾曲部の後に続く可変のギャップから始まる、合成高分子材料からなる絶縁体を有してもよく、絶縁体は電線の残りの長さ全体にわたって延びてもよい。電線の絶縁体は、装置上の別の接触点との、又は他の導電性部品との望ましくない電気接触を防止し、これによって２本の電線の短絡をさらに防止する。このように、装置の機能性は妨害されない。
【００１４】
１つの具体的な例において、装置はその本体としてＮＴＣセラミックを含んでもよい。これは、スピネル又はペロブスカイトセラミックに基づいた、切片、又はプレスされた薄片の形態をとってもよい。電線は、この本体の接触面にはんだ付けされる。
【００１５】
前述した電線に加えて、装置に別の電線がさらにはんだ付けされてもよい。この別の電線は、すでに説明した電線と同じ特徴を有してもよい。しかしながら、前述した電線又は接触点のすべての特徴又は特性を、前述の実施形態とは異なるものにすることも可能である。
【００１６】
電線の既存のはんだ点及び部品をすべて備える装置は、エポキシドなどのポリマーのカバーを備えてもよい。カバーの形状は液滴に似ていてもよく、１本又は複数の電線を所与の長さまで囲む。このようなカバーは、装置及び１つ以上のはんだ点を機械的負荷から、及び／又は湿気などの周囲条件の影響から保護することを可能にする。
【００１７】
本発明の好ましい例示的実施形態について、図面を参照しながら以下に説明する。
【図面の簡単な説明】
【００１８】
【図１】互いに反対向きとなっている接触点に２本の電線を有するＮＴＣセラミックの斜視図である。
【図２】装置を電線とともに断面図及び平面図で示している。
【発明を実施するための形態】
【００１９】
図１は、電気装置Ｂの好ましい実施形態の斜視図である。ＮＴＣセラミックＣの本体の、互いに反対向きとなっている２つの接触面Ｅは銀で被覆されている。平坦化部Ｆを有する、又は平坦化された支承面を有する電線は、これらの接触面Ｅのそれぞれに置かれる。電線には、第１の湾曲部Ｋ１が平坦化部Ｆの区域に存在する。支承面を構成し、接触面で支承している平坦化された電線部分の長さ、すなわち各電線端部Ｄの第１の湾曲部までの長さは、装置の接触面よりも小さくなるように選択されている。これに関して、電線端部Ｄは、接触面Ｅの１つの縁部に近接して位置し、その結果電線は、接触面Ｅの上方に延びる別の部分Ｍ〜Ｏを有する。この第１の湾曲部Ｋ１の後に続く電線は、この部分ではまだ平坦化されており、セラミック本体Ｃから離れて約６０°の角度で接触面Ｅに延びている。平坦化部Ｆの末端で、電線は円形の断面形状を有する区域Ｒになる。また、電線は、これらの平坦化部Ｆの端部に第２の湾曲部Ｋ２を有する。第２の湾曲部は、第１の湾曲部とは反対方向に角度付けされ、その結果、電線は、接触面に対して約１０°のより小さく、かつより鋭い角度で延びる。この円形断面の区域Ｒと、接触面Ｅとの間のギャップＡは、はんだ付け工程中にはんだで充填されてもよく、はんだ接合部の安定性を向上させることにつながる。電線が延びるのに伴い、ポリマー材料からなる絶縁体Ｊが設けられる。
【００２０】
図２は、電線を有する電気装置Ｂの概略断面図、及び電線を上から見た平面図を示す。ＮＴＣセラミックの図示されている接触面Ｅは、銀で被覆されている。電線は、平坦化部Ｆで接触面Ｅに置かれる。平坦化された側に、電線は丸められた端部Ｅを有する。平坦化部の区域Ｆには、第１の湾曲部Ｋ１が電線に存在し、角度αを形成している。接触面で支承している平坦化された電線部分Ｌの長さ、すなわち電線の端部からその第１の湾曲部Ｋ１までの長さは、装置の接触面Ｅよりも小さくなるように選択される。この第１の湾曲部Ｋ１の後に続く平坦化された電線は、セラミック本体Ｃから離れて約６０°の角度αで接触面Ｅに延びる。部分Ｍ全体にわたってセラミックから移動して離れた後に、電線は別の湾曲部Ｋ２を有する。後に続く部分Ｎ−Ｐでは、電線は角度βで接触面Ｅに延び、β＜αである。部分Ｎの末端で、電線は円形の断面形状Ｒの区域Ｏになる。部分Ｎ及びＯと、接触面Ｅとの間にあるギャップＡの区域の体積は、はんだ付け工程中にはんだで充填されてもよく、はんだ接合部の安定性の向上につながる。部分Ｐ全体にわたって、電線は高分子絶縁体Ｊを備える。
【００２１】
はんだ接合部を有する電気装置に関する本発明は、前述した、又は図面で示した例示的な実施形態に限定されない。例示的な実施形態との相違があってもよく、相違は請求項１の範囲内に含まれる。
【符号の説明】
【００２２】
Ａ  はんだを収容するギャップ
Ｂ  装置
Ｃ  ＮＴＣセラミック
Ｄ  はんだ付けされた電線端部
Ｅ  装置の接触面
Ｆ  支承面
Ｋ１  第１の角度を有する第１の湾曲部
Ｋ２  第２の角度を有する第２の湾曲部
Ｊ  高分子絶縁体
Ｒ  円形断面の区域
Ｌ  支承区域の部分
Ｍ  第１の湾曲部の後に続く平坦化部
Ｎ  別の湾曲部の後に続く平坦化部
Ｏ  円形断面を有する部分
Ｐ  円形断面を有し、かつ絶縁体を有する部分
【図１】
2020527849.tif 000003
【図２】
2020527849.tif 000004
【国際調査報告】
2020527849.tif 000005
2020527849.tif 000006
2020527849.tif 000007
2020527849.tif 000008